(57)【要約】【課題】  本発明は、着用者の腹部、腰部、大腿部を被覆する補正下着に関し、詳しくは、腹部、腹部に圧迫感を与えず、骨盤を安定に固定し、腹部の中央の膨張部を抑え、臀下部を安定させる補正を行うことが可能であり、かつトイレ時に着脱する必要のない補正下着を提供する。【解決手段】  着用者の腹部、腰部、大腿部を被覆する補正下着に関し、詳しくは、前面部と後面部、および２つの脚部が連結されて構成される、着用者の腹部、腰部、大腿部を被覆する本体部と、該本体部の前身頃および後ろ身頃を取り巻くストレッチ性を有するベルトを含む構成であり、クロッチ部が開放されている。【選択図】  図１
2005113331.tif 000002
【特許請求の範囲】
【請求項１】
着用者の腹部、腰部、大腿部を被覆する補正下着であって、前面部、後面部、および２つの脚部が連結されて構成される、腹部、腰部、大腿部を被覆する本体部と、該本体部の少なくとも一部を取り巻くベルトを含む構成であり、
該本体部の該前面部、後面部、および２つの脚部が着用者の股部で合わされるクロッチ部分が開放されていることを特徴とする、補正下着。
【請求項２】
着用者の腹部、腰部、大腿部を被覆する補正下着であって、前面部、後面部、および２つの脚部が連結されて構成される、腹部、腰部、大腿部を被覆する本体部と、該本体部の少なくとも一部を取り巻くベルトを含む構成であり、
該ベルトが、（１）該後面部における腰部の左右腰骨上部を結ぶ線上、（２）腰部の左右腰骨上部から右左骨盤下部と大腿骨との関節部にそれぞれにいたり該腹部中央で交差する線上、（３）左右臀部下のプリーツ線上、および（４）左右大腿部付け根内側から左右鼠径部をそれぞれ経てへそ周辺に至る線上に配設されていることを特徴とする、補正下着。
【請求項３】
着用者の腹部、腰部、大腿部を被覆する補正下着であって、前面部、後面部、および２つの脚部が連結されて構成される、腹部、腰部、大腿部を被覆する本体部と、該本体部の少なくとも一部を取り巻くベルトを含む構成であり、
該本体部の該前面部、後面部、および２つの脚部が着用者の股部で合わされるクロッチ部分が開放されており、かつ
該ベルトが、（１）該後面部における腰部の左右腰骨上部を結ぶ線上、（２）腰部の左右腰骨上部から右左骨盤下部と大腿骨との関節部にそれぞれにいたり該腹部中央で交差する線上、（３）左右臀部下のプリーツ線上、および（４）左右大腿部付け根内側から左右鼠径部をそれぞれ経てへそ周辺に至る線上に配設されていることを特徴とする、補正下着。
【請求項４】
前記本体部が、骨盤上部から下方の、腹部および腰部を被覆するが、ウエスト部を被覆しないことを特徴とする、請求項１または請求項２記載の補正下着。
【請求項５】
仙骨近傍と腰椎近傍を結ぶ臀部裂部にあたる前記本体部の部分の全部または一部に、着用時に前記後面部に臀部ふくらみを形成しうる伸縮自在のギャザーが形成されている、請求項１乃至請求項４のいずれかに記載の補正下着。
【請求項６】
前記ベルトが、１の帯状体で構成されており、少なくとも前記（１）後面部における該腰部の左右腰骨上部を結ぶ線上の前記後面部中央部、および前記（４）左右大腿部付け根内側から左右鼠径部をそれぞれ経てへそ周辺に至る線上の前記前面部の上部中央縁部に固定されている、請求項１乃至請求項５のいずれかに記載の補正下着。
【請求項７】
前記ベルトが、本体部に着脱可能な固定手段により、固定されていることを特徴とする、請求項６に記載の補正下着。
【請求項８】
前記ベルトの一端部及び他端部が、前記前面部の上部中央縁部左右にそれぞれ固定され、前記ベルトが、該一端部から、左鼠径部、左大腿部付け根内側、左臀部下のプリーツ線上、左骨盤下部と大腿骨との関節部、前記腰部の右腰骨上部、前記後面部における該腰部の右左腰骨上部を結ぶ線上、該腰部の左腰骨上部から右骨盤下部と大腿骨との関節部、左臀部下のプリーツ線上、右大腿部付け根内側から右鼠径部を経てへそ周辺に至る線上、を経由して前記他端部に至る請求項６または請求項７に記載の補正下着。
【発明の詳細な説明】
【技術分野】
【０００１】
女性にとって、より美しい姿勢、外観を保持したいという願望は、年齢を問わない。また、贅肉の膨出をなすがままとするよりは、ある程度固定した方が、動作の妨げとならない。さらに、ある程度の外圧を腰部、腹部に与えることは、弱った筋肉を補強し、骨盤の位置を固定し、円滑な動作を行うのに有効に働く。
【０００２】
このような用途として、ガードルが用いられている。従来のガードルは、着用者の腹部、臀部の贅肉の膨出を抑え、更に、ウエスト部分を抑え、腹部、臀部の形状を美しく演出するため、腹部中央、臀部下部、ウエスト部分に伸縮性のない部分布、または、収縮性が良好で、伸びの少ない部分布をあてがい、着用者の腰部、腹部を矯正するものが一般的である（例えば、特許文献１、特許文献２）。
【０００３】
また、近年、身体の種々の疾病を引き起こす原因である骨盤等の骨の位置を矯正するため、種々の矯正ベルトが提案されている（例えば、特許文献３）。
【０００４】
これらは帯形状をしており、着用者の腰骨から骨盤にかけて覆い、面ファスナーで固定する形状が一般的である。
【０００５】
【特許文献１】特開平８年６０４０７号
【特許文献２】特開平１０年２１２６０６号公報
【特許文献３】特開２００２−２０９９２１
【発明の開示】
【発明が解決しようとする課題】
【０００６】
しかし、従来のガードルを着脱する場合、部分的に伸縮性のない、または伸びの少ない布を含んでいるため、この部分をあえて広げて着脱しなければならないので、一定の力と時間を要する。
【０００７】
この着脱の作業は、特に筋力の弱い者、病弱者、中高年者にとって、負担となる。用便の際の着脱は、素早くできることが必要であるが、ガードルを着用する場合は上述のように時間がかかるため、これらの者は、ガードル着用を避ける傾向にある。また、着用しなければ美しく装えず、着用すればトイレ使用時に着脱に時間がかかるため、外出や旅行などに消極的になる傾向にある。
【０００８】
また上述した従来の矯正ベルトを着用する場合、立ち居振る舞い、歩行、運動の動作を行うと、経時的に着用位置がずれる。また、円滑な運動の妨げとなる場合があり、定位置に直す繁雑な作業を要する。
【０００９】
従って、気楽に着用することができ、美しく姿勢を整えることができるガードルの開発が待たれていた。
【００１０】
本発明者は、上記従来のガードル、矯正ベルトの問題を解決し、あらゆる年齢層の者を対象として、簡便に着脱することができ、日常生活や旅行を積極的に楽しむことができる、体型補正や骨盤矯正に貢献しうる補正下着の開発を目指し鋭意研究を重ねた結果、本発明に至った。
【課題を解決するための手段】
【００１１】
すなわち、本願発明にかかる補正下着は、着用者の腹部、腰部、大腿部を被覆する補正下着であって、前面部、後面部、および２つの脚部が連結されて構成される、腹部、腰部、大腿部を被覆する本体部と、該本体部の少なくとも一部を取り巻くベルトを含む構成であり、
本体部の前面部、後面部、および２つの脚部が着用者の股部で合わされるクロッチ部分が開放されていることを特徴とする。
【００１２】
また、本発明の補正下着の他の実施態様としては、着用者の腹部、腰部、大腿部を被覆する補正下着であって、前面部、後面部、および２つの脚部が連結されて構成される、腹部、腰部、大腿部を被覆する本体部と、本体部の少なくとも一部を取り巻くベルトを含む構成であり、
ベルトが、（１）後面部における腰部の左右腰骨上部を結ぶ線上、（２）腰部の左右腰骨上部から右左骨盤下部と大腿骨との関節部にそれぞれにいたり該腹部中央で交差する線上、（３）左右臀部下のプリーツ線上、および（４）左右大腿部付け根内側から左右鼠径部をそれぞれ経てへそ周辺に至る線上に配設されていることを特徴とする。
【００１３】
さらに、本発明の補正下着のさらに他の実施態様としては、着用者の腹部、腰部、大腿部を被覆する補正下着であって、前面部、後面部、および２つの脚部が連結されて構成される、腹部、腰部、大腿部を被覆する本体部と、本体部の少なくとも一部を取り巻くベルトを含む構成であり、
本体部の該前面部、後面部、および２つの脚部が着用者の股部で合わされるクロッチ部分が開放されており、かつ
ベルトが、（１）後面部における腰部の左右腰骨上部を結ぶ線上、（２）腰部の左右腰骨上部から右左骨盤下部と大腿骨との関節部にそれぞれにいたり腹部中央で交差する線上、（３）左右臀部下のプリーツ線上、および（４）左右大腿部付け根内側から左右鼠径部をそれぞれ経てへそ周辺に至る線上に配設されていることを特徴とする。
【００１４】
さらに、本体部は、骨盤上部から下方の、腹部および腰部を被覆するが、ウエスト部を被覆しないことを特徴とする。
【００１５】
ここで、ベルトは、長手方向にストレッチ性を有しうる。ベルトの幅は、２ｃｍ〜８ｃｍであり得る。
【００１６】
また、本発明の補正下着の他の態様としては、更に、仙骨近傍と腰椎近傍を結ぶ臀部裂部にあたる前記本体部の部分の全部または一部に、着用時に前記後面部に臀部ふくらみを形成しうる伸縮自在のギャザーが形成され得る。
【００１７】
また、ベルトは、１の帯状体で構成されており、少なくとも（１）後面部における該腰部の左右腰骨上部を結ぶ線上の後面部中央部、および（４）左右大腿部付け根内側から左右鼠径部をそれぞれ経てへそ周辺に至る線上の前面部の上部中央縁部に固定され得る。ここで、ベルトは、本体部に着脱可能な固定手段により、固定され得る。
【００１８】
更に、ベルトの一端部及び他端部は、前面部の上部中央縁部左右にそれぞれ固定され、ベルトが、一端部から、左鼠径部、左大腿部付け根内側、左臀部下のプリーツ線上、左骨盤下部と大腿骨との関節部、腰部の右腰骨上部、後面部における腰部の右左腰骨上部を結ぶ線上、腰部の左腰骨上部から右骨盤下部と大腿骨との関節部、左臀部下のプリーツ線上、右大腿部付け根内側から右鼠径部を経てへそ周辺に至る線上、を経由して他端部に至る。
【発明の効果】
【００１９】
本発明に係る補正下着は、着用者の腹部、腰部、大腿部を被覆する、前面部、後面部、および２つの脚部が連結されて構成される、本体部と、本体部の前面部および後面部を取り巻く弾性を有するベルトを含む構成をなしており、本体部で着用者の腹部、腰部、大腿部を外気の寒暖の差、外部の刺激から保護し、ベルトの伸縮の力を優しく、着用者の身体に与える役割を担う。また、本体部の連結された前面部、後面部、脚部において、クロッチ部分が開放されていることを特徴としており、まず本発明の補正下着を着用し、その後、下着を着用することにより、下着を脱ぐだけで用便をすることができ、ガードルの着脱に時間がかかることがない。
【００２０】
ここで、ベルトは、本体部の前面部、後面部において、少なくとも、（１）着用者の腰部の左右腰骨上部を結ぶ線上、（２）該腰骨の左右腰骨上部から右左骨盤下部と大腿骨との関節部のそれぞれにいたり該腹部中央で交差する線上、（３）左右臀部下のプリーツ線上、および（４）左右大腿部付け根内側から左右鼠径部をそれぞれ経てへそ周辺に至る線上に配設されて、着用者の腹部、腰部を取り巻いて構成され、腹部、臀部の膨出部を効果的に抑え、固定している。
【００２１】
更に、前記本体部が、着用者の骨盤上部から下方の腹部および腰部を被覆するが、ウエスト部分を被覆しないことにより、腹部を圧迫することがない。
【００２２】
また、前記ベルトが、長手方向にストレッチ性を有する素材を用いるため、腹部、腰部の膨出した贅肉を効果的に抑え、固定することができる。
【００２３】
また、仙骨近傍と腰椎近傍を結ぶ臀部裂部にあたる前記本体部の部分の全部または一部に、着用時に前記後面部に臀部ふくらみを形成しうる伸縮自在のギャザーが形成されていることにより、足から臀部にかけての動きをより自然に円滑に行うことができる。
【００２４】
更に、ベルトが、１の帯状体で構成され、少なくとも前記後面部の上部中央部、および前面部の上部中央縁部に固定されることにより、固定されていないベルトの部分が、着用者の随意に移動でき、ベルトの緩急を自在に変えることができる。
【００２５】
ベルトの幅は、２ｃｍ〜８ｃｍの範囲が好ましく、より効果的に補正及び矯正することができる。
【００２６】
ここで、本発明における「着用者」は、一般的にガードルを使用する種々の体型を有する、性別不特定多数の者を示す。
【発明を実施するための最良の形態】
【００２７】
以下、本発明の補正下着について、図を示して詳細に説明する。
【００２８】
図１（ａ）（ｂ）は、本発明の補正下着１０を着用した場合の前面（ａ）および背後面（ｂ）の腹部腰部の部分模式図を示す。本発明の補正下着１０は、着用者の腹部、腰部、大腿部を被覆する形状を有する。前面部１２、後面部１４、および２つの脚部１６，１８が連結されて構成される、着用者の腹部、腰部、大腿部を被覆する本体部２０と、ベルト２２を含む構成である。ここで、ベルトは、着用者が着用し伸長した状態である。
【００２９】
ベルト２２は、該本体部２０の前面部１２および後面部１４を取り巻いて配設されている。すなわち、本体部２０の後面部１４の（１）着用者の後面部における腰部の左右腰骨上部を結ぶ線２４上、（２）前面部１２の左右腰骨上部から右左骨盤下部と大腿骨との関節部のそれぞれにいたり腹部中央で交差する２本の線２６、２８上、（３）左右臀部下のプリーツ線３０，３２上、および（４）左右大腿部付け根内側から左右鼠径部に沿ってへそ周辺に至る線３４、３６上に配設されている。上記（１）から（４）を結ぶ線上にベルトが配設されている。
【００３０】
（１）後面部の着用者の腰部の左右腰骨上部を結ぶ線２４上にベルトを配した場合、ベルト２２の伸縮による均一な外力が骨盤に伝わり、骨盤が安定して固定され、ゆがみを矯正する効果がある。
【００３１】
また、（２）前面部１２の左右腰骨上部から右左骨盤下部と大腿骨との関節部にそれぞれにいたり腹部中央で交差する線２６、２８上にベルト２２を配置することにより、腹部中央の膨出した贅肉を抑えることができる。また、腹部中央の膨出した部分は、皮下脂肪を含む贅肉の他、内臓下垂のため腸が膨出している場合もあり、このような内臓を定位置に戻す効果も奏しうる。
【００３２】
上記（１）と（２）の連結部分２５、つまり左右腰骨上部にあたるベルト２２の部分は、腰骨上部に付きやすい贅肉を抑える効果がある。
【００３３】
更に、後面部１４の（３）左右臀部下のプリーツ線３０，３２上にベルト２２を配することにより、臀部下部の下がりやすい贅肉を押し上げることができ、ヒップラインを整えることができる。更に、臀部下部の筋肉を固定することにより、いすに座った際にいす座面の堅い部分が直接骨に当たる感覚を和らげるので、長時間楽にいすに座ることができる。例えば筋肉の弱りつつある中高年者に好適である。
【００３４】
上記（２）と（３）の連結部分２７、つまり左右骨盤下部と左右大腿骨との関節部２９にあたるベルトの部分は、この関節部を保護する効果がある。
【００３５】
更に、前面部１２の（４）左右大腿部付け根内側から左右鼠径部に沿ってへそ周辺に至る線３４，３６上にベルト２２を配することにより、左右鼠径リンパ節上にそれぞれベルト２２が配置されることになり、着用者の動作に伴うベルト２２の動きによりリンパ液の流れに刺激を与えることができる。
【００３６】
（４）の線上前面部腹部中央のベルト２２の両端部は、本体部の前面部腹囲端部の一部に固定手段（図１には、図示せず。）により固定されている。
【００３７】
本発明の補正下着に用いられるベルトとしては、材料は種々選択しうるが、例えば、一方向または２方向伸縮性の素材であっても良く、非伸縮性の素材であっても良い。一般に伸縮性の素材、特に、長手方向にストレッチ性を有する材料が好ましく、たとえば、パワーネット、ツーウェイトリコット、マーキゼット、トリコット等、あるいは弾性繊維、加工糸を用いたストレッチ性の強い材料があげられる。
【００３８】
ベルト幅は、２〜８ｃｍ程度が好ましく、２ｃｍを下回ると、着用者の身体に食い込み、また、補正効果・矯正効果が狭小面積にしか及ばず、好ましくない。８ｃｍを超えると、ベルトが腹部、腰部のほぼ全域を覆うこととなり、かえって、着用者の動きに妨げとなるおそれがある。
【００３９】
なお上記範囲において、ベルトの当たる箇所により幅を変化させることもできる。例えば、（１）腰骨を結ぶ腰部に位置するベルト、および／または（２）前面部１２における左右腰骨上部から右左骨盤下部と大腿骨との関節部のそれぞれにいたり腹部中央で交差する線２６上のベルトは比較的幅広のベルトとし、（３）左右臀部下のプリーツ線３０，３２上に配したベルト、および／または（４）左右大腿部付け根内側から左右鼠径部に沿ってへそ周辺に至る線３４，３６上に配したベルトを比較的狭いベルト幅とすることもできる。このようにすると、腰部、腹部の膨出した贅肉を比較的広い範囲で効果的に抑えることができる一方、臀部下部の贅肉を局部的に効果的に押し上げ、更に、鼠径リンパ節への刺激を効果的に行うことができる。
【００４０】
ここで、ベルトは、上記位置（１）から（４）の位置に本体部に全面固定されていても良いし、部分的に固定されていても良い。この場合、上記位置に予め本体部の一部として縫着、接着、または本体部製造工程において織り込みされていても良い。上記位置に配設されている限度において、個々に配設されていても良い。
【００４１】
なお、上記ベルトの交差部は、交差するベルトのうちいずれの部分が上部となっても良い。
【００４２】
補正、矯正を効果的に行いつつ、種々の身体的特徴を有する着用者の身体に、個別に適合させるために、配設する箇所、緩急を自在に変化させる可変性を保持させることが好ましい。このため、本体部をとりまくベルトは１の帯状体で構成されていることが好ましい。
【００４３】
すなわち、ベルトの一端部及び他端部は、前面部の上部中央縁部左右にそれぞれ固定され、ベルトが、一端部から、左鼠径部、左大腿部付け根内側、左臀部下のプリーツ線上、左骨盤下部と大腿骨との関節部、腰部の右腰骨上部、後面部における腰部の右左腰骨上部を結ぶ線上、腰部の左腰骨上部から右骨盤下部と大腿骨との関節部、左臀部下のプリーツ線上、右大腿部付け根内側から右鼠径部を経てへそ周辺に至る線上、を経由して他端部に至る、１の帯状体を構成する。
【００４４】
この場合、図２，図３に示すように、ベルト２２は、本体部の少なくとも後面部上部中央部３７、および前面部上部中央縁部３８に固定手段３９により固定する。すなわち、図３のように、ベルト長手の中央部を後面部上部中央部３７に固定させ、図２に示すように、ベルトの両端部を前面部上部中央縁部３８に固定する。このようにすると、上記（１）から（４）の配設すべき位置範囲に保持しつつ、固定されていないベルトは、着用者の要求に併せて、配設されうる位置範囲内で最適の位置の選択、また弾性の緩急を変化させて配置させる選択をすることができる。
【００４５】
固定の手段は、縫着・接着等による固定の他、スナップ、ボタン、面状ファスナー等の着脱可能な係止手段を単独または組み合わせにより用い得る。係止手段を用いる場合は、ベルトの長さを着用者の体型や好みに適合するように調整可能とするため、ベルトに付着させるスナップ、ボタンをベルトの長さ方向に複数個配置したり、一定の面積を持たせた雄雌面状ファスナーとしアジャスタ機能を持たせることが好ましい。図３，４は、縫着による固定手段３９である。
【００４６】
また、本体部の一定の箇所にベルト誘導手段を設けることもできる。ベルトを一定の位置に誘導しつつ、ベルトの緩急を自在とすることが可能となり好ましい。具体的には、図２，３に示すように本体部の複数の箇所にベルトを誘導する糸、ひも、帯等の誘導手段４０を設ける。
【００４７】
あるいは、図４に記載するように、ベルトを２本１組とし、後面部腰部とベルト端部に着脱可能な係止手段４４を組み合わせて、ベルトの両端部において、アジャスタ機能を持たせることもできる。図４においては、係止手段は、ベルト端部に設けた複数のボタン穴と、本体部に設けたボタンである。また、図示しないが、ベルトの前面部腹部中央端部にこのようなアジャスタ機能を持たせることもできる。この場合、ベルトは、１の帯状体であっても、２本１組の帯状体とし、ベルトの両端部において、アジャスタ機能を持たせても良い。
【００４８】
また、ベルト固定手段およびベルト誘導手段は、上記（１）から（４）の範囲における本体部のいずれの箇所に設けても良い。例えば、左右鼠径部から左右臀部下部に至るベルトの部分は、脚部と身頃の連結部であるクロッチ部を開放するため、前面部、後面部、脚部の該当する箇所に端部がある。図５に示すように、この部分の端部に固定手段またはベルト誘導手段により、ベルトの位置を固定すると、各部端部の補強となり、また、動作の際の着用者の身体への食い込みがなくて好ましい。図５においては、縫着による固定手段４６である。
【００４９】
本発明の補正下着は、図５に示すように、本体部２０の前面部１２と後面部１４が脇線で、前面部１２と後面部に続く脚部１６、１８がクロッチ部で突き合わせとなるが、クロッチ部分が接合されず開放されることを特徴とする。開放部４８はクロッチ部を含む限度において、形状は限定されない。図５において太線で囲まれた箇所は、開放部４８である。図３においては、開放部４８は、ベルト２２に周囲を囲まれて形成されており、ベルトを固定すると、この部分の形状が確保されて、着用者の立ち居振る舞いの際の円滑な動作に貢献する。
【００５０】
従来のガードルは、必ずクロッチ部分布が前面部、後面部とそれに続く脚部を縫製する際に付加されており、この布は、着用者の足の前後左右の動きをよりスムーズにする役割を果たしている。
【００５１】
しかし、ガードルにクロッチ布を含む股部があるために、用便毎に、ガードルを着脱する煩雑な作業を必要としていた。
【００５２】
本発明の補正下着は、クロッチ部をなくすことにより、本来クロッチ布をあてがっていた部分を開放している。従って、先に本発明の補正下着を着用後、この上に下着を着用する着用方法により、用便の際は、本発明の補正下着は着脱する必要がなく、この上に着用している下着を着脱することにより、用を足すことができる。従って、煩雑な作業を毎回繰り返すことなく、下着の着脱を円滑に短時間で行うことができる。
【００５３】
本体部２０は、ベルトを上述したように配設し、着用者の腹部、腰部、太股部を被覆する限度において、種々の形状を選択しうる。腹部端部及び、脚部端部は、他の部分より、ストレッチ性を良くした方が、着用者の身体に沿いやすく、好ましい。また、脚部端部の長さは太股中央、膝上、膝下等種々選択しうる。本体部２０の材料としては、種々選択しうるが、一方向、２方向伸縮性を有する素材であっても良く、伸縮性のない素材であっても良い。伸縮性の素材を用いる場合、例えば、ジャージ、スムース、天竺、ツーウェイトリコット等があげられ、ポリウレタン系繊維のような弾性繊維やスプリング糸のような加工糸が含有されていても良い。
【００５４】
また、本発明の補正下着は、図２に示すように、本体部２０が、着用者の骨盤上部から下方の腹部および腰部を被覆するが、ウエスト部分を被覆しないことが好ましい。ウエスト部を締め詰けないので、腹部を押さえることなく長時間楽に着用することができ、食事を摂ることによって腹部が膨満しても補正下着が外圧を加えて、苦しくなることがない。
【００５５】
また、本発明の補正下着において、仙骨近傍と腰椎近傍を結ぶ臀部裂部にあたる本体部の部分の全部または一部に、着用時に後面部に臀部ふくらみを形成しうる伸縮自在のギャザーが形成されることが好ましい。例えば、図３，４に示すように、着用者の仙骨近傍と腰椎近傍を結ぶ臀部裂部にあたる本体部の部分に、弾性部材を配設することにより、この部分に伸縮自在のギャザー４９が形成される。図では、本発明の補正下着を着用し、着用者の身体に沿ってギャザー４９が伸びている状態である。伸縮自在のギャザー４９を形成することにより、本体部に左右臀部のふくらみを形成しつつ、臀部裂部の部分で伸縮することにより、使用時に、本発明の補正下着が着用者の身体に違和感なく効果的に沿い、着用者の臀部、脚部の動作を円滑に行うことができる。伸縮自在のギャザーを形成する方法として、図では弾性部材５０が配設されているが、後面部を形成する際に、上記特定の部分を伸縮性のある糸を用いて縫製することにより伸縮性を担保しても良い。
【００５６】
この場合に用いる材料としては、種々選択しうるが、例えば、一方向または２方向伸縮性の素材であっても良く、非伸縮性の素材であっても良い。一般に伸縮性の素材が好ましく、たとえば、弾性部材としては、パワーネット、ツーウェイトリコット、マーキゼット、トリコット等があげられる。この弾性部材５０は、本体部の後面部１４中央に本体部の一部として縫着、接着、織り込みされていても良い。このような弾性部材５０を配設することにより、開放部の端部を補強する効果も得られる。
【産業上の利用可能性】
【００５７】
本発明にかかる補正下着は、幅広い年齢層の特に女性に好適に用いられ、用便の際に着脱する必要がなく、また、腹部、腰部の補正、および骨盤等骨の矯正、股関節の保護等に効果的である。
【００５８】
以上、本発明の補正下着について、種々の実施の形態を述べたが、明細書および図面に記載の内容は、本発明の好ましい実施態様について開示したものであり、本発明は、これらの形態に限定されず、本発明の内容を逸脱しない範囲において、改変、修飾、バリエーションおよびその他の応用、他の用途がなされうる。
【図面の簡単な説明】
【００５９】
【図１】本発明にかかる補正下着の実施例の模式図であり、（ａ）は、前面、（ｂ）背後面である。
【図２】本発明にかかる補正下着の他の実施例の着用時前面の説明図である。
【図３】本発明にかかる補正下着の他の実施例の着用時背後面の説明図である。
【図４】本発明にかかる補正下着のさらに他の実施例の着用時背後面の説明図である。
【図５】本発明にかかる補正下着のさらに他の実施例の説明図である。
【符号の説明】
【００６０】
１０；本発明にかかる補正下着
１２；前面部
１４；後面部
１６，１８；脚部
２０；本体部
２２；ベルト
２４；着用者の腰部の左右腰骨上部を結ぶ線
２５；連結部分
２６、２８；前面部１２の左右腰骨上部から腹部中央で交差し左右骨盤下部と大腿骨との関節部にいたる線
２７；連結部分
２９；関節部
３０，３２；臀部下部のプリーツ線
３４，３６；大腿部付け根内側から鼠径部に沿ってへそ周辺に至る線
３７；後面部上部中央部
３８；前面部上部中央縁部
３９；固定手段（縫着）
４０；誘導手段（テープ）
４４；係止手段（ボタン、ボタン穴）
４６；固定手段（縫着）
４８；開放部
４９；伸縮自在のギャザー
５０；弾性部材
【図１】
2005113331.tif 000003
【図２】
2005113331.tif 000004
【図３】
2005113331.tif 000005
【図４】
2005113331.tif 000006
【図５】
2005113331.tif 000007